(57)【要約】【課題】受講素子に配置される受光領域からの信号を用いて受光素子の位置調整を行える構成を有する光ピックアップ装置であって、位置調整時の受光領域から得られる信号の感度を高めた光ピックアップ装置を提供する。【解決手段】光ピックアップ装置に備えられるホログラム光学素子４は、図示しない分割線によって第１領域９と第２領域１０とに分割される。受光素子７には、０次光受光領域１４と、フォーカス誤差信号検出領域１６ａ、１６ｂと、トラック誤差信号検出領域１５ａ、１５ｂとの５つの領域が、０次光受光領域１４を挟んでフォーカス誤差信号検出領域１６ａ、１６ｂとトラック誤差信号検出領域１５ａ、１５ｂが交互となるように並んで配置される。第１領域９と第２領域１０とでそれぞれ生じる±１次光は、領域１５ａ、１５ｂ、１６ａ、１６ｂに振り分けて受光される。【選択図】図２
2007207353.tif 000002
【特許請求の範囲】
【請求項１】
光源と、該光源から出射される光ビームを光記録媒体の記録面に集束する集束手段と、前記記録面で反射された反射光を受光する受光素子と、前記集束手段と前記受光素子との間に配置されて前記反射光を回折して回折光を生じるホログラム光学素子と、を備え、
前記受光素子には、ＲＦ信号を検出するためのＲＦ信号検出領域と、フォーカス誤差信号を検出するためのフォーカス誤差信号検出領域と、トラック誤差信号を検出するためのトラック誤差信号検出領域と、が配置される光ピックアップ装置において、
前記ホログラム光学素子は、前記反射光の光束中心を通る第１分割線によって第１領域と第２領域との２つの領域に分割され、更に、前記第１及び前記第２領域はいずれも、前記第１分割線と直交し且つ前記光束中心を通る第２分割線によって、２つの領域に分割され、
前記フォーカス誤差信号は、スポットサイズディテクション方式によって検出され、
前記ＲＦ信号検出領域は、前記ホログラム光学素子を透過する０次光を受光する１つの受光領域であり、
前記フォーカス誤差信号検出領域と前記トラック誤差信号検出領域とは、いずれも独立した２つの受光領域から成って、前記ＲＦ信号検出領域を真ん中に挟んで、前記受光素子位置での前記ホログラム光学素子を透過する０次光の光軸に対する前記回折光の回折方向と平行な方向に、交互に並んで配置され、
前記第１領域は、前記反射光が前記第１領域を通過して生じる±１次光が、前記フォーカス誤差信号検出領域と前記トラック誤差信号検出領域とに振り分けて受光されるように形成され、前記第２領域は、前記反射光が前記第２領域を通過して生じる±１次光が、前記第１領域からの前記±１次光が受光されるのとは異なる前記フォーカス誤差信号検出領域と前記トラック誤差信号検出領域とに振り分けて受光されるように形成されることを特徴とする光ピックアップ装置。
【請求項２】
光源と、該光源から出射される光ビームを光記録媒体の記録面に集束する集束手段と、前記記録面で反射された反射光を受光する受光素子と、前記集束手段と前記受光素子との間に配置されて前記反射光を回折して回折光を生じるホログラム光学素子と、を備え、
前記受光素子には、少なくともフォーカス誤差信号を検出するためのフォーカス誤差信号検出領域とトラック誤差信号を検出するためのトラック誤差信号検出領域とが配置される光ピックアップ装置において、
前記ホログラム光学素子は、前記反射光の光束中心を通る少なくとも一本の第１分割線によって第１領域と第２領域との２つの領域に分割され、
前記フォーカス誤差信号検出領域と前記トラック誤差信号検出領域とは、いずれも独立した２つの受光領域から成って、前記受光素子位置での前記ホログラム光学素子を透過する０次光の光軸に対する前記回折光の回折方向と平行な方向に、交互に並んで配置され、
前記第１領域は、前記反射光が前記第１領域を通過して生じる±１次光が、前記フォーカス誤差信号検出領域と前記トラック誤差信号検出領域とに振り分けて受光されるように形成され、前記第２領域は、前記反射光が前記第２領域を通過して生じる±１次光が、前記第１領域からの前記±１次光が受光されるのとは異なる前記フォーカス誤差信号検出領域と前記トラック誤差信号検出領域とに振り分けて受光されるように形成されることを特徴とする光ピックアップ装置。
【請求項３】
前記フォーカス誤差信号は、スポットサイズディテクション法によって検出されることを特徴とする請求光２に記載の光ピックアップ装置。
【請求項４】
前記受光素子には、前記フォーカス誤差信号検出領域と前記トラック誤差信号検出領域とが並んで配置される列の中央に、前記０次光を受光する０次光受光領域が１つ配置されることを特徴とする請求項２又は請求項３に記載の光ピックアップ装置。
【請求項５】
前記第１及び第２領域はいずれも、前記第１分割線と直交し且つ前記光束中心を通る第２分割線によって、２つの領域に分割されることを特徴とする請求項２から請求項４のうちのいずれか１項に記載の光ピックアップ装置。
【発明の詳細な説明】
【技術分野】
【０００１】
本発明は、光記録媒体に光ビームを照射して情報の記録や情報の読み取りを可能とする光ピックアップ装置に関し、特に、光信号を受光して電気信号へと変換する受光素子の位置調整を精度良く行える技術に関する。
【背景技術】
【０００２】
近年、コンパクトディスク（以下、ＣＤという。）やデジタル多用途ディスク（以下、ＤＶＤという。）といった光記録媒体が普及し、一般的に用いられるようになっている。そして、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されつつある。
【０００３】
このような光記録媒体の記録再生を行うにあたっては、光記録媒体に光ビームを照射して情報の記録や情報の読み取りを可能とする光ピックアップ装置が用いられる。従来の光ピックアップ装置１００の光学系の構成について、概略図を図４に示す。光ピックアップ装置１００は、光源１と、ビームスプリッタ２と、コリメートレンズ３と、ホログラム光学素子４と、１／４波長板５と、対物レンズ６と、受光素子７と、を備える。以下、光ピックアップ装置１００に備えられる各光学部材の詳細について説明する。
【０００４】
光源１は、半導体レーザで構成されるが、光ピックアップ装置１００が対象とする光記録媒体８の種類に応じて、半導体レーザが有する波長は異なってくる。対象とする光記録媒体８の種類が、例えば、ＣＤの場合には７８０ｎｍ帯の波長を有する半導体レーザが、ＤＶＤの場合には６５０ｎｍ帯の波長を有する半導体レーザが、ＢＤの場合には４０５ｎｍ帯の波長を有する半導体レーザが用いられる。光源１から出射された光ビームは、ビームスプリッタ２に送られる。
【０００５】
ビームスプリッタ２は、入射する光ビームを分離する光分離素子として機能する。すなわち、光源１から送られてきた光ビームはビームスプリッタ２を透過して、光記録媒体８側へと導かれ、光記録媒体８で反射された反射光は、ビームスプリッタ２で反射されて受光素子７へと導かれる。ビームスプリッタ２を透過した光ビームは、コリメートレンズ３へと送られる。
【０００６】
コリメートレンズ３は、ビームスプリッタ２を透過した光ビームを平行光に変換する。ここで、平行光とは、光源１から出射された光ビームの全ての光路が光軸とほぼ平行である光をいう。コリメートレンズ３で平行光とされた光ビームは、ホログラム光学素子４に送られる。
【０００７】
ホログラム光学素子４は、通過する光ビームを回折して回折光を生じるようにパターン形成されているが、このホログラム光学素子４には偏光性が与えられており、１／４波長板５と協働した機能により、光源１から光記録媒体８へと導かれる往路の光ビームについては回折せず、光記録媒体８で反射された復路の光ビームについては回折光を生じる。ホログラム光学素子４を透過した光ビームは、１／４波長板５へと送られる。
【０００８】
１／４波長板５は、光源１から出射された直線偏光の光ビームを円偏光へと変換する。また、１／４波長板５は、ビームスプリッタ２と協働して光アイソレータとしての機能も果たす。１／４波長板５を透過した光ビームは、対物レンズ６へと送られる。
【０００９】
対物レンズ６は、１／４波長板５を透過した光ビームを光記録媒体８の記録面８ａ上に集光させる。対物レンズ６は、光記録媒体８の種類に応じて、異なる開口数（ＮＡ）に設定される。光ピックアップ装置１００が対象とする光記録媒体８が、例えば、ＣＤの場合にはＮＡ＝０．５０、ＤＶＤの場合にはＮＡ＝０．６５、ＢＤの場合にはＮＡ＝０．８５とされる。また、対物レンズ６は、ホログラム光学素子４及び１／４波長板５と共に、図示しない対物レンズアクチュエータに搭載されている。そして、フォーカス誤差信号及びトラック誤差信号に基づいて、対物レンズアクチュエータは対物レンズ６の位置を制御する。
【００１０】
なお、フォーカス誤差信号は、対物レンズ６の焦点位置が記録面８ａ上に常に合うように対物レンズ６の位置を制御するフォーカシング制御用の信号で、トラック誤差信号は、光源１から出射された光ビームが光記録媒体８に形成されるトラックに追随するように対物レンズ６の位置を制御するトラッキング制御用の信号である。
【００１１】
光記録媒体８で反射された反射光は、対物レンズ６を透過した後、１／４波長板５で往路の光ビームと直交する直線偏光とされ、ホログラム光学素子４で回折され、コリメートレンズ３を通過後、ビームスプリッタ２で反射されて受光素子７へと到達する。
【００１２】
受光素子１１は、受光した光情報を電気信号に変換して、例えば、図示しないＲＦアンプ等に出力する。受光素子１１には、複数の受光領域（図示せず）が設けられており、再生信号のみだけでなくフォーカス誤差信号やトラック誤差信号が検出される。
【００１３】
以上のように構成される光ピックアップ装置１００において、受光素子７の位置が、正確な位置からずれている場合には、再生信号、フォーカス誤差信号、及びトラック誤差信号を正確に検出することができない。このため、光ピックアップ装置１００を用いて光記録媒体８に記録されている情報を再生等する場合の品質が低下するか、最悪の場合には光ピックアップ装置１００がうまく作動しないといった問題が発生する。従って、受光素子７の取り付け位置を正確に、精度良く調整する技術が必要とされている。
【００１４】
この点、例えば特許文献１に、光ピックアップ装置に配置される受光素子の位置調整について、短時間で容易に精度良く行う調整方法が紹介されている。この特許文献１における受光素子の位置調整方法では、フォーカスサーボを行いながら、受光素子に設けられる複数の受光領域から信号を得て、この得られた信号を用いて受光素子の位置調整を行う構成となっている。
【００１５】
しかしながら、特許文献１に紹介されるような調整方法を用いても、受光素子が最適な位置に対して位置ずれしている場合に、位置ずれを示す信号値が小さい場合、すなわち位置ずれに対する信号感度が十分でない場合には、実際には、最適な位置に受光素子が配置されていないにも関わらず、位置調整できていると判断される場合が起こりうる。そして、この場合、受光素子が最適な位置にないために、この光ピックアップ装置を用いると、上述のように光記録媒体８に記録されている情報を再生等する場合の品質が低下するか、最悪の場合には光ピックアップ装置１００がうまく作動しないといった問題が発生する。
【特許文献１】特開２００５−１２２８１２号公報
【発明の開示】
【発明が解決しようとする課題】
【００１６】
以上の点を鑑みて、本発明の目的は、受講素子に配置される受光領域からの信号を用いて受光素子の位置調整を行える構成を有する光ピックアップ装置であって、位置調整時の受光領域から得られる信号の感度を高めた光ピックアップ装置を提供することである。
【課題を解決するための手段】
【００１７】
上記目的を達成するために本発明は、光源と、該光源から出射される光ビームを光記録媒体の記録面に集束する集束手段と、前記記録面で反射された反射光を受光する受光素子と、前記集束手段と前記受光素子との間に配置されて前記反射光を回折して回折光を生じるホログラム光学素子と、を備え、前記受光素子には、ＲＦ信号を検出するためのＲＦ信号検出領域と、フォーカス誤差信号を検出するためのフォーカス誤差信号検出領域と、トラック誤差信号を検出するためのトラック誤差信号検出領域と、が配置される光ピックアップ装置において、前記ホログラム光学素子は、前記反射光の光束中心を通る第１分割線によって第１領域と第２領域との２つの領域に分割され、更に、前記第１及び前記第２領域はいずれも、前記第１分割線と直交し且つ前記光束中心を通る第２分割線によって、２つの領域に分割され、前記フォーカス誤差信号は、スポットサイズディテクション方式によって検出され、前記ＲＦ信号検出領域は、前記ホログラム光学素子を透過する０次光を受光する１つの受光領域であり、前記フォーカス誤差信号検出領域と前記トラック誤差信号検出領域とは、いずれも独立した２つの受光領域から成って、前記ＲＦ信号検出領域を真ん中に挟んで、前記受光素子位置での前記ホログラム光学素子を透過する０次光の光軸に対する前記回折光の回折方向と平行な方向に、交互に並んで配置され、前記第１領域は、前記反射光が前記第１領域を通過して生じる±１次光が、前記フォーカス誤差信号検出領域と前記トラック誤差信号検出領域とに振り分けて受光されるように形成され、前記第２領域は、前記反射光が前記第２領域を通過して生じる±１次光が、前記第１領域からの前記±１次光が受光されるのとは異なる前記フォーカス誤差信号検出領域と前記トラック誤差信号検出領域とに振り分けて受光されるように形成されることを特徴としている。
【００１８】
上記目的を達成するために本発明は、光源と、該光源から出射される光ビームを光記録媒体の記録面に集束する集束手段と、前記記録面で反射された反射光を受光する受光素子と、前記集束手段と前記受光素子との間に配置されて前記反射光を回折して回折光を生じるホログラム光学素子と、を備え、前記受光素子には、少なくともフォーカス誤差信号を検出するためのフォーカス誤差信号検出領域とトラック誤差信号を検出するためのトラック誤差信号検出領域とが配置される光ピックアップ装置において、前記ホログラム光学素子は、前記反射光の光束中心を通る少なくとも一本の第１分割線によって第１領域と第２領域との２つの領域に分割され、前記フォーカス誤差信号検出領域と前記トラック誤差信号検出領域とは、いずれも独立した２つの受光領域から成って、前記受光素子位置での前記ホログラム光学素子を透過する０次光の光軸に対する前記回折光の回折方向と平行な方向に、交互に並んで配置され、前記第１領域は、前記反射光が前記第１領域を通過して生じる±１次光が、前記フォーカス誤差信号検出領域と前記トラック誤差信号検出領域とに振り分けて受光されるように形成され、前記第２領域は、前記反射光が前記第２領域を通過して生じる±１次光が、前記第１領域からの前記±１次光が受光されるのとは異なる前記フォーカス誤差信号検出領域と前記トラック誤差信号検出領域とに振り分けて受光されるように形成されることを特徴としている。
【００１９】
また、本発明は、上記構成の光ピックアップ装置において、前記フォーカス誤差信号は、スポットサイズディテクション法によって検出されることを特徴としている。
【００２０】
また、本発明は、上記構成の光ピックアップ装置において、前記受光素子には、前記フォーカス誤差信号検出領域と前記トラック誤差信号検出領域とが並んで配置される列の中央に、前記０次光を受光する０次光受光領域が１つ配置されることを特徴としている。
【００２１】
また、本発明は、上記構成の光ピックアップ装置において、前記第１及び第２領域はいずれも、前記第１分割線と直交し且つ前記光束中心を通る第２分割線によって、２つの領域に分割されることを特徴としている。
【発明の効果】
【００２２】
本発明の第１の構成によれば、光ピックアップ装置を用いて、光記録媒体への情報の書き込み、及び光記録媒体からの情報の読み込みを良好に行うことが可能である。そして、受光素子の位置調整に用いる調整領域であるフォーカス誤差信号領域を受光素子の中で、可能な範囲で離れた位置に配置する構成としているために、受光素子の回転方向の位置ずれに対する感度を高めることができ、受光素子の位置調整を精度良く行うことが可能となる。また、光ピックアップ装置のサイズを従来の光ピックアップ装置に比べて、特段大きくすることもない。
【００２３】
また、本発明の第２の構成によれば、受光素子の位置調整を行う際に用いる２つのフォーカス誤差信号検出領域又はトラック誤差信号検出領域を、離れた位置に配置する構成としているために、受光素子の回転方向の位置ずれに対する感度を高めることができ、受光素子の位置調整を精度良く行うことが可能となる。
【００２４】
また、本発明の第３の構成によれば、上記第２の構成の光ピックアップ装置を容易に実現できる。
【００２５】
また、本発明の第４の構成によれば、上記第２又は第３の構成の光ピックアップ装置において、０次光受光領域をＲＦ信号検出用の領域として利用することにより、光記録媒体への情報の書き込みや光記録媒体からの情報の読み込み時における品質の劣化を抑制することが可能となる。
【００２６】
また、本発明の第５の構成によれば、上記第２から第４のいずれかの構成の光ピックアップ装置において、光記録媒体への情報の書き込みや光記録媒体からの情報の読み込み時に、対物レンズ等の位置ずれが生じた場合でも、その影響を受け難くできる。
【発明を実施するための最良の形態】
【００２７】
以下に本発明の実施形態を、図面を参照しながら説明する。なお、ここで示す実施形態は一例であり、本発明はここに示す実施形態に限定されるものではない。また、図４に示した従来の光ピックアップ装置１００と重複する部分については、同一の符号を付し、特に必要がない場合にはその説明を省略する。
【００２８】
本実施形態の光ピックアップ装置における光学系の配置については、図４に示した従来の光ピックアップ装置１００と同様であるが、ホログラム光学素子４及び受光素子７の構成について、従来の問題点を解決する特徴がある。このため、以下においては、まず、ホログラム光学素子４と受光素子７の実施形態について説明し、次いで、その実施形態がもたらす従来の課題を解決する作用について説明する。
【００２９】
ホログラム光学素子４は、光記録媒体８で反射された反射光から回折光を生じることによって、受光素子７に形成される後述する受光領域との関係で、フォーカス制御用のフォーカス誤差信号とトラッキング制御用のトラック誤差信号とを得られるようにする。そして、本実施形態においては、ホログラム光学素子４と受光素子７に形成される受光領域との構成は、フォーカス誤差信号をスポットサイズディテクション（ＳＳＤ）方式で、トラック誤差信号をコレクトファーフィールド（ＣＦＦ）方式で得られる構成となっている。
【００３０】
図１は、本実施形態のホログラム光学素子４の構成を説明するための図で、ホログラム光学素子４に入射する光ビームの光軸と略直交する２つの面のうち、回折パターンが形成された一方の面の構成を模式的に示した模式図である。図１に示すように、ホログラム光学素子４は、ホログラム光学素子４に入射する光ビームの光束中心１７を通る第１分割線１８ａで、第１領域９と第２領域１０との２つの領域に分割されている。そして、この第１領域９と第２領域とは、更に、第１分割線１８ａと直交し、且つ光束中心１７を通る第２分割線１８ｂによって、それぞれ領域９ａ、９ｂと領域１０ａ、１０ｂとに分割されている。
【００３１】
第１領域９と第２領域１０とでは、形成される回折パターンが異なっており、光記録媒体８で反射された反射光がこの領域９、１０を通過する際の光ビームの回折のされ方が異なる。一方、第１領域９と第２領域１０とを更に分割する第２分割線１８ｂによって分けられた領域９ａと領域９ｂ、及び領域１０ａと領域１０ｂとは、それぞれ回折のされ方は同じである。第２分割線１８ｂは、第１領域９及び第２領域１０で回折された回折光が受光素子７で受光される際の光ビームのスポットを分割する機能のみを果たす。
【００３２】
なお、本実施形態においては、第２分割線１８ｂによって第１領域９と第２領域１０とを分割する構成としているが、これに限定されず、第２分割線１８ｂによる分割を行わない構成としても構わない。ただし、第２分割線１８ｂによって、第１領域９と第２領域１０を分割した場合の方が、光ピックアップ装置作動時に、例えば対物レンズ６（図４参照）と受光素子７との位置ずれ等で生じる光記録媒体８からの反射光の受光領域に対するスポットずれの影響を抑制できる等の理由により、第２分割線１８ｂによって第１領域９と第２領域１０とを分割する構成が好ましい。
【００３３】
図２は、ホログラム光学素子４を通過して生じる０次光１１及び±１次光１２ａ、１２ｂ、１３ａ、１３ｂと受光素子７との対応関係を模式的に示した図であり、図２（ａ）は、ホログラム光学素子４からの０次光１１及び±１次光１２ａ、１２ｂ、１３ａ、１３ｂが到達する受光素子７の受光面７ａ上の位置を示した図で、図２（ｂ）は、図２（ａ）に対応させて、０次光１１、±１次光１２ａ、１２ｂ、１３ａ、１３ｂが到達する受光面７上に形成される受光領域１４、１５ａ、１５ｂ、１６ａ、１６ｂを示した平面図である。
【００３４】
図２（ｂ）に示すように、受光素子７の受光面７ａには５つの受光領域１４、１５ａ、１５ｂ、１６ａ、１６ｂが、０次光１１の光軸１９に対する±１次光１２ａ、１２ｂ、１３ａ、１３ｂの回折方向（図においては左右方向）と平行な方向に、並んだ状態で配置されている。そして、光記録媒体８で反射された反射光は、ホログラム光学素子４を通過することによって、受光素子７に形成されるこの５つの受光領域１４、１５ａ、１５ｂ、１６ａ、１６ｂに振り分けて受光される。
【００３５】
反射光のうち、ホログラム光学素子４を回折されることなく透過する０次光１１は、５つの受光領域１４、１５ａ、１５ｂ、１６ａ、１６ｂの真ん中に配置される０次光受光領域１４で受光される。この０次光受光領域１４で受光された光情報は、ＲＦ信号に変換され、光記録媒体８に記録される情報の再生等に用いられる。このため、０次光受光領域１４はＲＦ信号検出領域としての役割を果たす。
【００３６】
第１領域９を通過する反射光は、回折されて＋１次光１２ａと−１次光１２ｂとを生じる。＋１次光１２ａは、受光面７ａの手前（図２（ａ）ではホログラム光学素子４と受光面７ａとの間）で焦点を結び、−１次光１２ｂは、受光面７ａの先（図２（ａ）では受光素子７の下側）で焦点を結ぶ。そして、＋１次光１２ａは受光領域１６ｂで、−１次光１２ｂは受光領域１５ａで受光される。
【００３７】
また、第２領域１０を通過する反射光は、回折されて＋１次光１３ａと−１次光１３ｂとを生じる。＋１次光１３ａは、受光面７ａの手前で焦点を結び、−１次光１３ｂは、受光面７ａの先で焦点を結ぶ。そして、＋１次光１３ａは受光領域１５ｂで、−１次光１３ｂは受光領域１６ａで受光される。
【００３８】
第１領域９で生じる＋１次光１２ａを受光する受光領域１６ｂと、第２領域１０で生じる−１次光１３ｂを受光する受光領域１６ａとは、ＳＳＤ方式で得られるフォーカス誤差信号の検出を行うフォーカス誤差信号検出領域となっており、それに対応して、フォーカス誤差信号検出領域１６ａ、１６ｂは、それぞれ分割領域Ｃ、Ｄ、Ｅ、Ｆ、及び分割領域Ｉ、Ｊ、Ｋに分割されている。そして、各分割領域Ｃ、Ｄ、Ｅ、Ｆ、Ｉ、Ｊ、Ｋにおいて、光情報から得られる電気信号をそれぞれ、ＳＣ、ＳＤ、ＳＥ、ＳＦ、ＳＩ、ＳＪ、ＳＫとすると、フォーカス誤差信号（ＦＥＳ）は次式の演算で得られる。
ＦＥＳ＝（ＳＣ＋ＳＤ＋ＳＪ＋ＳＦ）−（ＳＩ＋ＳＥ＋ＳＫ）
【００３９】
一方、第１領域９で生じる−１次光１２ｂを受光する受光領域１５ａと、第２領域１０で生じる＋１次光１３ａを受光する受光領域１５ｂとは、ＣＦＦ方式で得られるトラック誤差信号の検出を行うトラック誤差信号検出領域となっており、それに対応して、トラック誤差信号検出領域１５ａ、１５ｂは、それぞれ分割領域Ａ、Ｂ、Ｇ、及び分割領域Ｈ、Ｌに分割されている。そして、各分割領域Ａ、Ｂ、Ｇ、Ｈ、Ｌにおいて、光情報から得られる電気信号をそれぞれ、ＳＡ、ＳＢ、ＳＧ、ＳＨ、ＳＬとすると、トラック誤差信号（ＴＥＳ）は次式の演算で得られる。
ＴＥＳ＝（ＳＡ＋ＳＢ＋ＳＧ）−（ＳＨ＋ＳＬ）
【００４０】
なお、本実施形態においては、０次光受光領域１４を配置し、これによりＲＦ信号を得る構成としているが、必ずしも、この構成に限定される趣旨ではない。すなわち、例えば０次光受光領域１４を配置せずに、フォーカス誤差信号領域１６ａ、１６ｂの各分割領域（Ｃ、Ｄ、Ｅ、Ｆ、Ｉ、Ｊ、Ｋ）で得られる信号の加算（ＳＣ＋ＳＤ＋ＳＥ＋ＳＦ＋ＳＩ＋ＳＪ＋ＳＫ）でＲＦ信号を得る構成等としても構わない。ただし、分割された多数の領域から得られる信号の足し合わせでＲＦ信号を得る場合、ノイズの増加等でＲＦ信号の劣化が発生する可能性があるので、本実施形態のように０次光受光領域１４を配置する構成が好ましい。
【００４１】
上述のように、受光素子７の受光面７ａには、５つの受光領域１４、１５ａ、１５ｂ、１６ａ、１６ｂが、０次光１１の光軸１９に対する±１次光１２ａ、１２ｂ、１３ａ、１３ｂの回折方向と平行な方向に、並んで配置されているが、５つの受光領域１４、１５ａ、１５ｂ、１６ａ、１６ｂが配置される順番は、図２（ｂ）の左から右方向に、トラック誤差信号検出領域１５ａ、フォーカス誤差信号検出領域１６ａ、０次光受光領域１４、トラック誤差信号検出領域１５ｂ、フォーカス誤差信号検出領域１６ｂとなっている。
【００４２】
そして、受光素子７に配置される５つの受光領域１４、１５ａ、１５ｂ、１６ａ、１６ｂをこのように、０次光受光領域１４を真ん中に挟んで、フォーカス誤差信号検出領域１６ａ、１６ｂとトラック誤差信号検出領域１５ａ、１５ｂとが交互に並ぶように配置することによって、光ピックアップ装置の組み立て時における受光素子７の位置調整を精度良く行うことが可能となる。以下、この点について説明する。
【００４３】
光ピックアップ装置の組み立て時における受光素子７の位置調整においては、図２（ｂ）に示すＸ方向の調整は、各受光領域１４、１５ａ、１５ｂ、１６ａ、１６ｂにおいて、光ビームのスポット位置が領域外にはみ出さない程度に調整されていれば良く、Ｘ方向の調整精度はそれ程厳しいものではない。しかし、図２（ｂ）に示したＹ方向とθ方向（回転方向）にずれがあると、フォーカス誤差信号及びトラック誤差信号を正確に得ることができず、光ピックアップ装置を用いた情報の記録再生の品質が低下する。このため、Ｙ方向の調整と回転方向の調整が重要となる。
【００４４】
本実施形態の光ピックアップ装置においては、Ｙ方向の調整及び回転方向の調整は、フォーカス誤差信号検出領域１６ａ、１６ｂを用いて行われる。すなわち、フォーカス誤差信号検出領域１６ａ、１６ｂのうち、いずれか一方をＹ方向の調整を行うＹ方向調整領域、他方を回転方向の調整を行う回転方向調整領域として用いる。ここでは、フォーカス誤差信号検出領域１６ａをＹ方向調整領域、フォーカス誤差信号検出領域１６ｂを回転方向調整領域として説明する。そして、この場合、Ｙ方向調整領域から得られるＹ方向調整信号及び回転方向調整領域から得られる回転方向調整信号について、次の式が成り立てば、受光素子７の位置調整が完了したこととなる。
Ｙ方向調整信号＝ＳＣ＋ＳＤ−ＳＦ＝０
回転方向調整信号＝ＳＩ−ＳＫ＝０
【００４５】
なお、フォーカス誤差信号検出領域１６ａ、１６ｂでなく、トラック誤差信号検出領域１５ａ、１５ｂを用いてＹ方向及び回転方向の調整を行うことも可能である。ただし、本実施形態の場合には、ホログラム光学素子４が、第２分割線１８ｂ（図１参照）で分割された構成となっているために、例えば、トラック誤差信号検出領域１５ａ、１５ｂに到達するビームスポットは分割された状態（半円がＸ方向と平行な線で２分されている）となり、この分割によって生じるビームスポット間の隙間の存在のために、Ｙ方向の調整が正確にできない場合があるので、フォーカス誤差信号検出領域１６ａ、１６ｂを用いてＹ方向及び回転方向の調整を行うのが好ましい。
【００４６】
Ｙ方向と回転方向の調整を行う場合、通常、Ｙ方向を動かしてＹ方向調整信号を０又は０近傍とし、次に回転方向を動かして回転方向の回転方向調整信号を０又は０近傍にするという作業を繰り返して、最終的にＹ方向調整信号と回転方向調整信号との両方が０となる状態に受光素子７の位置を合わせる。
【００４７】
図３は、受光素子７の位置が回転方向にθ１ずれた状態を示す図である。図３からわかるように、Ｙ方向調整領域（受光領域１６ａ）と回転方向調整領域（受光領域１６ｂ）の間隔Ｎが大きい程、回転ずれに対するΔｄ（受光領域１６ｂの最適位置からのＹ方向へのずれ量）の値が大きくなり、回転ずれに対する回転方向調整信号の値も大きくなる。すなわち、Ｙ方向調整領域と回転方向調整領域との間隔Ｎが大きい程、回転方向のずれに対する回転方向調整信号の感度が高くなる。
【００４８】
この点、本実施形態の光ピックアップ装置は、Ｙ方向調整領域と回転方向調整領域との間に、受光領域１４、１５ｂが配置され、両者の間は大きくなっている。このため、回転方向調整信号の感度を高めた状態で受光素子７の回転方向の調整を行うことができ、受光素子７の調整を精度良く行うことが可能となる。そして、本実施形態の光ピックアップ装置は、フォーカス制御、トラッキング制御といったサーボ制御を行うために必要な受光領域の配置を工夫することで調整信号の感度を高めているため、部品点数を増加させることも、装置を大型化することも抑制されている。
【００４９】
なお、０次光受光領域１４と、フォーカス誤差信号検出領域１６ａ、１６ｂと、トラック誤差信号検出領域１５ａ、１５ｂとの並び順は、本実施形態の構成に限定される趣旨ではなく、本発明の目的を逸脱しない範囲で変更可能である。すなわち、０次光受光領域１４を真ん中に配置して、フォーカス誤差信号領域とトラック誤差信号検出領域とが交互に配置されていれば、フォーカス誤差信号検出領域とトラック誤差信号検出領域の順番は問わない。なお、上述したように０次光受光領域を配置しないようにして、フォーカス誤差信号領域とトラック誤差信号検出領域とが交互に配置される構成としても構わない。
【００５０】
また、本実施形態においては、フォーカス誤差信号をＳＳＤ方式で得て、トラック誤差信号をＣＦＦ方式で得る構成としているが、本発明の目的を逸脱しない範囲でその構成は変更可能である。すなわち、例えば、トラック誤差信号を得る方式として、位相差法又はプッシュプル法を用いる構成等としても構わない。なお、プッシュプル法の場合、トラック誤差信号（ＴＥＳ）はＣＦＦ方式の場合と同じ演算で得られ、位相差法の場合は、図３に示した本実施形態の構成において、以下の式でトラック誤差信号（ＴＥＳ）が得られる。
ＴＥＳ＝（ＳＡ＋ＳＢ＋ＳＨ）−（ＳＧ＋ＳＬ）
【００５１】
その他、光ピックアップ装置の光学系の配置について、従来の構成の光ピックアップ装置１００（図４参照）の構成に限定される趣旨ではなく、本発明の目的に応じて種々の変更が可能である。すなわち、例えば、光源について、２つ以上の波長の光ビームを出射できる構成としても構わないし、波長板５は、必ずしも設ける必要がなく、波長板５を設けない構成としても構わない。この場合、ホログラム光学素子４が偏光性を有するようにする必要もない。更に、ホログラム光学素子４を配置する位置も、本実施形態の位置に限らず、例えば、ビームスプリッタ２と受光素子７との間に配置するような構成等としても構わない。
【産業上の利用可能性】
【００５２】
本発明の光ピックアップ装置は、受光素子に配置される受光領域からの信号を用いて受光素子の位置調整を行うことを可能とする光ピックアップ装置であって、受光素子に設けられる受光領域の配置が、位置調整を行う際の信号の感度を高めることが可能な構成となっている。このため、本発明の光ピックアップ装置では、受光素子の位置調整を精度良く行うことが可能となる。また、位置調整の感度を高めるにあたって、部品点数を不要に増やすこともなく、受光素子のサイズを不要に大きくすることもない。
【図面の簡単な説明】
【００５３】
【図１】は、本実施形態のホログラム光学素子の構成を説明するための図で、回折パターンが形成された面の構成を模式的に示した模式図である。
【図２】は、ホログラム光学素子を通過して生じる０次光及び±１次光と受光素子との対応関係を示した説明図である。
【図３】は、受光素子の位置が回転方向にずれた状態を示す図である。
【図４】は、従来の光ピックアップ装置の光学系の構成を示した概略図である。
【符号の説明】
【００５４】
１                    光源
４                    ホログラム光学素子
６                    対物レンズ（集束手段）
８                    光記録媒体
８ａ                  記録面
９                    第１領域
１０                  第２領域
１１                  ０次光
１２ａ、１３ａ        ＋１次光
１２ｂ、１３ｂ        −１次光
１４                  ０次光受光領域（ＲＦ信号検出領域）
１５ａ、１５ｂ        トラック誤差信号検出領域
１６ａ、１６ｂ        フォーカス誤差信号検出領域
１７                  光束中心
１８ａ                第１分割線
１８ｂ                第２分割線
１９                  ０次光の光軸
【図１】
2007207353.tif 000003
【図２】
2007207353.tif 000004
【図３】
2007207353.tif 000005
【図４】
2007207353.tif 000006